(57)【要約】【課題】材料を節約できる電気コネクタを提供する。【解決手段】本発明の電気コネクタは、係合溝が形成される基部を含む絶縁性本体と、該絶縁性本体に固着される複数の導電端子と、絶縁性本体に取り付けられるハウジングと、を備える。該ハウジングは、相手コネクタを挿入する方向に沿って延出して係合溝と係合する係合部が設けられる。【選択図】図１
2007287664.tif 000002
【特許請求の範囲】
【請求項１】
係合溝が形成される基部を含む絶縁性本体と、
該絶縁性本体に固着される複数の導電端子と、
絶縁性本体に取り付けられ、相手コネクタを挿入する方向に沿うって延出して係合溝と係合する係合部が設けられるハウジングと、を備えることを、特徴とする電気コネクタ。
【請求項２】
前記係合部が、ハウジングの両側に設けられる一対の係合部であることを特徴とする、請求項１に記載の電気コネクタ。
【請求項３】
前記係合溝が、基部の両端に形成され、基部の前表面から後向きに延出する一対の係合溝であることを特徴とする、請求項２に記載の電気コネクタ。
【請求項４】
前記絶縁性本体には、基部から水平に延出する相手部が設けられており、該相手部は、上側壁と、該上側壁に対向する下側壁と、上側壁と下側壁との間に形成される収納穴と、相手部の前端に設けられ、上側壁と直角に延出する相手面と、を含むことを特徴とする、請求項２に記載の電気コネクタ。
【請求項５】
前記ハウジングは、複数の弾力片が設けられた天板と、天板に対向する底板と、天板から延出して絶縁性本体の基部をカバーしているスロットが形成される尾板と、絶縁性本体の相手面をカバーする連接部と、を備え、該天板と底板とが、それぞれ絶縁性本体の上側壁と下側壁とをシールドし、前記一対の係合部が尾板の両側に設置されて尾板の前辺から後向きに折り曲げられて、前記絶縁性本体の基部には、該スロットに嵌め込まれる凸状部片が設けられることを特徴とする、請求項４に記載の電気コネクタ。
【請求項６】
前記絶縁性本体の相手部の両側には、基部から前向きに延出して相手面より突出する一対の導入部が、設けられることを特徴とする、請求項５に記載の電気コネクタ。
【請求項７】
前記絶縁性本体基部には、実装面が設置され、該実装面の延出方向は、相手部を挿入する方向に対して、鋭角が形成されることを特徴とする、請求項１乃至請求項６のいずれか１つに記載の電気コネクタ。
【請求項８】
前記ハウジングには、実装面と直角に延出する複数の半田接続部が、設けられることを特徴とする、請求項７に記載の電気コネクタ。
【請求項９】
前記複数の半田接続は、ハウジングの上側に設けられる一対の第１半田接続部と、下側に設けられる一対の第２接続部と、を含み、一対の第１半田接続部の間の距離が、一対の第２半田接続部の間の距離より、大きいことを特徴とする、請求項８に記載の電気コネクタ。
【発明の詳細な説明】
【技術分野】
【０００１】
本発明は、電気コネクタに関し、特に、ＦＰＣ（Ｆｌｅｘｉｂｌｅ  Ｐｒｉｎｔｅｄ  Ｃｉｒｃｕｉｔ）、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術の電気コネクタは、基部を含む絶縁性本体と、絶縁性本体に挿入される複数の導電端子と、絶縁性本体をシールドするハウジングと、絶縁性本体に実装される保持部と、を備える。前記ハウジングには、一対の係合部が設けられる。該係合部は、ハウジングの両側から横向きに延出する第１折り曲げ部と、下向きに折り曲げする第２折り曲げ部と、帰る方向に向かって折り曲げる第３折り曲げ部と、を有し、略Ｃ字状に製造される。該略Ｃ字状の係合部は、基部の両端をカバーして係合する。
【特許文献１】日本意匠登録第１、１８９、０００号
【発明の開示】
【発明が解決しようとする課題】
【０００３】
そこで、前記電気コネクタのハウジングは、金属片から製造される。該ハウジングに略Ｃ字状の係合部を設置するため、該ハウジングを製造する金属片の長さは、絶縁性本体の基部の長さの寸法と、一対の係合部の第１、第２、第３折り曲げ部の寸法と、を具備しなければならない。これにより、ハウジングを製造する金属片は、広い面積を具備しなければならない。結果、多くの材料を消耗する。上述した欠点に鑑みて、新型の電気コネクタを開発することが必要である。
【０００４】
本発明は、材料を節約できる電気コネクタを提供することを目的とする。
【課題を解決するための手段】
【０００５】
前記目的を達成するために、本発明の電気コネクタは、係合溝が形成される基部を含む絶縁性本体と、該絶縁性本体に固着される複数の導電端子と、絶縁性本体に取り付けられるハウジングと、を備える。該ハウジングは、相手コネクタを挿入する方向に沿うって延出して係合溝と係合する係合部が設けられている。
【発明の効果】
【０００６】
従来の技術に比べると、本発明は以下の長所がある。本発明のハウジングの係合部は、相手コネクタを挿入する方向に沿って延出する。これにより、ハウジングを製造する金属片の長さは、ただ、絶縁性本体の基部の長さの寸法である。従来の技術のハウジングを製造する金属片の幅さは、絶縁性本体の基部の幅さの寸法に加えて、係合部の第１、第２、第３折り曲げ部の寸法と、を具備しなければならない。これにより、本発明のハウジングを製造する材料が節約される。
【発明を実施するための最良の形態】
【０００７】
図１〜図５に基づいて、本発明の電気コネクタ１００は、相手コネクタ（図示せず）が挿入される絶縁性本体１と、該絶縁性本体１に固着される複数の導電端子２と、絶縁本体１に取り付けられるハウジング３と、該絶縁性本体１に装着される一対の固定部４と、を備える。
【０００８】
図３に示すように、前記絶縁性本体１は、基部１０と、基部１０から水平に延出する相手部１１と、を備える。該相手部１１は、上側壁１１１と、該上側壁１１１に対向する下側壁１１２と、上側壁１１１と下側壁１１２の間に形成される収納穴１３と、相手部１１の前端に設けられ、上側壁１１１と直角に延出する相手面１９と、を備える。相手部１１の両側には、基部１０から前向きに延出して相手面１９より突出する一対の導入部１５が設けられる。基部１０の上表面には、凸状部片１８が設けられる。基部１０の両端には、基部１０の前表面から後向きに延出する一対の係合溝１６が形成される。各係合溝１６は、対応する導入部１５の上に位置する。一対の係合溝１６の近傍には、一対の貫通溝１７が形成される。上側壁１１１の内表面には、導電端子２が挿入される複数の端子溝１４が設けられる。
【０００９】
各導電端子２は、金属材料から製造され、保持部２０と、保持部２０から前向きに延出する接触部２１と、保持部２０から後向きに延出する尾部２２と、を有する。
【００１０】
ハウジング３は、互いに対向して平行に延出する天板３１及び底板３２と、天板３１と底板３２との前側の両端を連接する一対の連接部３７と、天板３１の後側から後向きに延出する尾板３０と、を含む。天板３１と底板３２とには、複数の弾力片３５が設けられる。尾板３０の両端には、尾板３０の前辺から後向きに折り曲げる一対の係合部３４が設けられる。該係合部３４の延出方向は、相手コネクタを挿入する方向と一致している。尾板３０の中間には、スロット３３が形成される。尾板３０と底板３２との後端には、それぞれ一対の第１半田接続部３６と、一対の第２半田接続部３８とが、設けられる。一対の第１半田接続部３６の間の距離は、一対の第２半田接続部３８の間の距離より、大きくなっている。
【００１１】
図１、図２に示すように、該電気コネクタ１００の組み立て時、複数の導電端子２が、絶縁性本体１の複数の端子溝１４に挿入される。各導電端子２の保持部２０が、対応する端子溝１４に固着され、接触部２１が、収納穴１３に向かって突出し、尾部２２が、絶縁性本体１の後端から延出して回路基板（図示せず）に半田接続される。ハウジング３は、絶縁性本体１に取り付けられる。ハウジング３の天板３１と、底板３２と、尾板３０と、連接部３７とは、それぞれ、絶縁性本体１の上側壁１１１と、下側壁１１２と、基部１０と、相手面１９とをシールドする。ハウジング３のスロット３３は、絶縁性本体１の凸状部片１８と係合される。ハウジング３の係合部３４は、絶縁性本体１の係合溝１６挿入される。一対の固定部４は、絶縁性本体１の貫通溝１７を貫通して回路基板に固着される。一体にされる電気コネクタ１００は、基部１０に設置される実装面（標号示せず）によって、回路基板に実装される。該実装面の延出方向は、相手部１１の延出方向、即ち、相手コネクタを挿入する方向との間で、鋭い角が形成される。ハウジング３の第１、第２半田接続部３４，３６は、実装面と直角に延出する。
【００１２】
相手コネクタが一対の導入部１５によって、収納穴１３に導入された後、ハウジング３の弾力片３５は、相手コネクタと係合する。
【００１３】
係合部３４は、尾板３０の前辺から後向きに折り曲げる。これにより、ハウジング３を製造する金属片の幅は、尾板３０の長さの寸法となり、ハウジング３を製造する材料が節約される。
【００１４】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【図面の簡単な説明】
【００１５】
【図１】本発明の電気コネクタの組立斜視図である。
【図２】図１に示す電気コネクタの他の組立斜視図である。
【図３】図１に示す電気コネクタの分解斜視図である。
【図４】図１に示す電気コネクタのＩＶ-ＩＶ線で切断した断面図である。
【図５】図１に示す電気コネクタのＶ-Ｖ線で切断した断面図である。
【符号の説明】
【００１６】
１  絶縁性本体
２  導電端子
３  ハウジング
４  固定部
１０  基部
１１  相手部
１３  収納穴
１４  端子溝
１５  導入部
１６  係合溝
１７  貫通溝
１８  凸状部片
１９  相手面
２０  保持部
２１  接触部
２２  尾部
３０  尾板
３１  天板
３２  底板
３３  スロット
３４  係合部
３５  弾力片
３６  第１半田接続部
３７  連接部
３８  第２半田接続部
１００  電気コネクタ
１１１  上側壁
１１２  下側壁
【図１】
2007287664.tif 000003
【図２】
2007287664.tif 000004
【図３】
2007287664.tif 000005
【図４】
2007287664.tif 000006
【図５】
2007287664.tif 000007